(57)【特許請求の範囲】
【請求項１】
一対のエンドプレートと、
前記一対のエンドプレートの間において一方向に整列された複数のバッテリセルと、
前記複数のバッテリセルの上部に形成されるトッププレートと、
前記複数のバッテリセルの下部に形成されるボトムプレートと、
前記エンドプレート、トッププレート、およびボトムプレートが形成された複数のバッテリセルを収容するハウジングと、
を備え、
前記複数のバッテリセルの間には、少なくとも１つの補強部材をさらに備え、
前記補強部材は、少なくとも１つの締結部において、第１締結部材によって前記ハウジングと締結され、
前記締結部に対応する前記ボトムプレートには、前記第１締結部材が貫通する貫通ホールが形成されることを特徴とする、バッテリモジュール。
【請求項２】
前記補強部材の締結部は、前記ハウジングに締結されることを特徴とする、請求項１に記載のバッテリモジュール。
【請求項３】
前記補強部材は、前記バッテリモジュールの中間部に位置することを特徴とする、請求項１または２に記載のバッテリモジュール。
【請求項４】
前記補強部材は、前記バッテリセルと当接する面が当該バッテリセルと同じ大きさに形成され、前記バッテリセルが連結される長手方向において所定の厚さを有し、上面から下面まで貫通した少なくとも１つの挿入ホールが形成されることを特徴とする、請求項１〜３のいずれか１項に記載のバッテリモジュール。
【請求項５】
前記補強部材の両側面および下面は、当該補強部材と当接する２つの前記バッテリセルの側面および下面の一部まで位置するように前記長手方向に延設されることを特徴とする、請求項４に記載のバッテリモジュール。
【請求項６】
前記締結部は、前記挿入ホールの下端部に位置することを特徴とする、請求項４に記載のバッテリモジュール。
【請求項７】
前記第１締結部材は、ボルトまたはスタッドのうちいずれか１つであることを特徴とする、請求項１〜６のいずれか１項に記載のバッテリモジュール。
【請求項８】
前記トッププレートは、前記バッテリセルの上面に対面するように配置されるトップベース部と、前記トップベース部の側部から前記バッテリセルの側面に折り曲げられたトップフランジ部とを含むことを特徴とする、請求項１〜７のいずれか１項に記載のバッテリモジュール。
【請求項９】
前記トップフランジ部と接触する前記補強部材の一対の側面には、前記バッテリモジュールの外側へ突出する突起部が形成されることを特徴とする、請求項８に記載のバッテリモジュール。
【請求項１０】
前記トップフランジ部には、前記突起部に対応する位置に、当該突起部を収容する突起収容部が形成されることを特徴とする、請求項９に記載のバッテリモジュール。
【請求項１１】
前記突起部は、前記ボトムプレート側に向かうテーパ形状に形成されることを特徴とする、請求項９または１０に記載のバッテリモジュール。
【請求項１２】
前記ボトムプレートは、前記バッテリセルの下面に対面するように配置されるボトムベース部と、前記ボトムベース部の側部から前記バッテリセルの側面に折り曲げられたボトムフランジ部とを含むことを特徴とする、請求項１〜１１のいずれか１項に記載のバッテリモジュール。
【請求項１３】
前記補強部材の両側面には、前記ボトムフランジ部と接触する結合孔が形成されることを特徴とする、請求項１２に記載のバッテリモジュール。
【請求項１４】
前記ボトムフランジ部には、前記結合孔に対応する結合ホールが形成されることを特徴とする、請求項１３に記載のバッテリモジュール。
【請求項１５】
前記結合孔と前記結合ホールとは、第２締結部材によって締結されることを特徴とする、請求項１４に記載のバッテリモジュール。
【発明の詳細な説明】
【技術分野】
【０００１】
本発明は、バッテリモジュールに関し、より具体的には、より強固に組み立て可能なバッテリモジュールに関する。
【背景技術】
【０００２】
通常、バッテリセルは、モバイル機器、電気自動車、ハイブリッド車、電気などのエネルギー源として用いられ、適用される外部機器の種類に応じて多様にその形態を変化させて使用する。
【０００３】
携帯電話のような小型モバイル機器は、単一のバッテリセルの出力と容量で所定時間作動が可能である。しかし、電力消耗の多い電気自動車、ハイブリッド車のように長時間駆動、高電力駆動が必要な場合には、出力および容量を増加できるように、複数のバッテリセルを電気的に接続して大容量のバッテリモジュールを構成する。バッテリモジュールは、内蔵されたバッテリセルの数の増加によって出力電圧や出力電流を増加させることができる。そして、このバッテリモジュールを電気的に複数個接続してバッテリパックを構成することができる。
【先行技術文献】
【特許文献】
【０００４】
【特許文献１】大韓民国実用新案公開第２０００‐００１６８８３号
【特許文献２】大韓民国特許公開第２００７‐０１０４６９１号
【発明の概要】
【発明が解決しようとする課題】
【０００５】
ここで、バッテリセルの数が多くなると、バッテリモジュールの長さが長くなる。この場合、バッテリモジュールに振動や衝撃が加えられると、バッテリモジュールの中間部が流動し、バッテリモジュールが破損することがあるという問題があった。
【０００６】
そこで、本発明は、上記問題に鑑みてなされたものであり、本発明の目的とするところは、複数のバッテリセルで構成されたバッテリモジュールの中間部に補強部材を挿入することにより、振動や衝撃によってバッテリモジュールの中間部が垂れることを防止することができるバッテリモジュールを提供することにある。
【課題を解決するための手段】
【０００７】
上記課題を解決するために、本発明のある観点によれば、一対のエンドプレートと、前記一対のエンドプレートの間において一方向に整列された複数のバッテリセルと、前記複数のバッテリセルの上部に形成されるトッププレートと、前記複数のバッテリセルの下部に形成されるボトムプレートと、前記エンドプレート、トッププレート、およびボトムプレートが形成された複数のバッテリセルを収容するハウジングと、を備え、前記複数のバッテリセルの間には、少なくとも１つの補強部材をさらに備え、前記補強部材は、少なくとも１つの締結部を備えることを特徴とする、バッテリモジュールが提供される。
【０００８】
このとき、前記補強部材の締結部は、前記ハウジングに締結してもよい。
【０００９】
また、前記補強部材は、前記バッテリモジュールの中間部に位置するように設けてもよい。
【００１０】
さらに、前記補強部材は、前記バッテリセルと当接する面が当該バッテリセルと同じ大きさに形成され、前記バッテリセルが連結される長手方向において所定の厚さを有し、上面から下面まで貫通した少なくとも１つの挿入ホールが形成されるようにしてもよい。
【００１１】
また、前記補強部材の両側面および下面は、当該補強部材と当接する２つの前記バッテリセルの側面および下面の一部まで位置するように前記長手方向に延設されるようにしてもよい。
【００１２】
さらに、前記締結部は、前記挿入ホールの下端部に位置するようにしてもよい。
【００１３】
また、前記補強部材とハウジングとは、第１締結部材によって締結されるようにしてもよい。
【００１４】
このとき、前記締結部に対応する前記ボトムプレートには、前記第１締結部材が貫通する貫通ホールが形成されてもよい。
【００１５】
また、第１締結部材は、ボルトまたはスタッドのうちいずれか１つであってもよい。
【００１６】
さらに、前記トッププレートは、前記バッテリセルの上面に対面するように配置されるトップベース部と、前記トップベース部の側部から前記バッテリセルの側面に折り曲げられたトップフランジ部とを含んでもよい。
【００１７】
このとき、前記トップフランジ部と接触する前記補強部材の一対の側面には、前記バッテリモジュールの外側へ突出する突起部が形成されてもよい。
【００１８】
そして、前記トップフランジ部には、前記突起部に対応する位置に、当該突起部を収容する突起収容部が形成されてもよい。
【００１９】
前記突起部は、前記ボトムプレート側に向かうテーパ形状に形成してもよい。
【００２０】
また、前記ボトムプレートは、前記バッテリセルの下面に対面するように配置されるボトムベース部と、前記ボトムベース部の側部から前記バッテリセルの側面に折り曲げられたボトムフランジ部とを含んでもよい。
【００２１】
このとき、前記補強部材の両側面には、前記ボトムフランジ部と接触する結合孔を形成してもよい。
【００２２】
そして、ボトムフランジ部には、前記結合孔に対応する結合ホールを形成してもよい。
【００２３】
ここで、前記結合孔と前記結合ホールとは、第２締結部材によって締結されてもよい。
【発明の効果】
【００２４】
以上説明したように本発明によれば、振動や衝撃によってバッテリモジュールの中間部が垂れることを防止するために、バッテリモジュールの中間部に補強部材を挿入することにより、より強固なバッテリモジュールを製造することができる。
【図面の簡単な説明】
【００２５】
【図１】本発明の一実施形態に係るバッテリモジュールを示す斜視図である。
【図２】同実施形態に係るバッテリモジュールを示す分解斜視図である。
【図３】同実施形態に係る補強部材を示す斜視図である。
【図４Ａ】同実施形態に係る補強部材の平面図である。
【図４Ｂ】同実施形態に係る補強部材の正面図である。
【図４Ｃ】同実施形態に係る補強部材の側面図である。
【図５】図１のＡ−Ａ’においてトッププレートの締結前にボトムプレートに補強部材を締結する状態を示す断面図である。
【図６】本発明の他の実施形態に係るバッテリモジュールを示す斜視図である。
【発明を実施するための形態】
【００２６】
以下、添付した図面を参考にして、本発明の実施形態およびその他当業者が本発明の内容を容易に理解するために必要な事項について詳細に記載する。ただし、本発明は、請求の範囲に記載された範囲内で種々の異なる形態で実現可能であるため、下記に説明する実施形態は、表現の如何にかかわらず、例示的なものにすぎない。
【００２７】
本実施形態を説明するにあたり、関連する公知機能あるいは構成に関する具体的な説明が本発明の要旨を不透明にする可能性があると判断された場合、その詳細な説明は省略する。そして、図面において、同一の構成要素については、たとえ他の図面上に表示されていても、できるだけ同一の参照番号および符号で表していることに留意しなければならない。また、図面において、各層の厚さや大きさは、説明の便宜および明確性のために誇張することがあり、実際の層の厚さや大きさとは異なり得る。
【００２８】
図１は、本発明の一実施形態に係るバッテリモジュールを示す斜視図であり、図２は、本実施形態に係るバッテリモジュールを示す分解斜視図である。
【００２９】
図１および図２を参照すると、本実施形態に係るバッテリモジュール１００は、複数のバッテリセル１０と、一対のエンドプレート１１０、１２０と、トッププレート１３０と、ボトムプレート１４０と、これらを収容するハウジング５０とを含む。そして、複数のバッテリセル１０の間には、少なくとも１つの補強部材１６０をさらに含む。
【００３０】
本実施形態にかかる補強部材１６０は、バッテリモジュール１００の中間部に位置し、ハウジング５０の底部に締結される。これにより、振動や衝撃時にバッテリモジュール１００の中間部の流動が防止され、より強固なバッテリモジュール１００を製造することができる。また、複数のバッテリセル１０を含むバッテリモジュール１００は、その長さが長いため、バッテリモジュール１００そのものの重量によって中間部が垂れることを防止することができる。
【００３１】
このような補強部材１６０は、所定の厚さを有し、バッテリセル１０と当接する面はバッテリセル１０と同じ大きさに形成される。そして、補強部材１６０には、上面１６０ａから下面１６０ｃまで貫通した挿入ホール１６２が形成される。この挿入ホール１６２は、第１締結部材１４６を用いてハウジング５０に補強部材１６０を締結する際に工具が挿入可能な空間である。これについては、図５で詳細に説明する。
【００３２】
そして、補強部材１６０の両側面（対向する２つの側面）１６０ｂおよび下面１６０ｃは、バッテリセル１０が連結される方向（この方向を「長手方向」ともいう。）に延設される。このとき、補強部材１６０の両側面１６０ｂおよび下面１６０ｃは、補強部材１６０と当接する２つのバッテリセル１０の側面および下面の一部を収容するように延設される。これにより、補強部材１６０と当接する２つのバッテリセル１０の一部が補強部材１６０に収容されるため、締結部１６３が解除されても、揺れることなく強固にバッテリモジュール１００の内部に装着可能である。
【００３３】
補強部材１６０の締結部１６３は、挿入ホール１６２の下端部に位置する。つまり、補強部材１６０は、挿入ホール１６２を介して第１締結部材１４６が挿入され、この第１締結部材１４６がハウジング５０に締結できる。このとき、締結部１６３に対応するボトムプレート１４０のボトムベース部１４０ａには、第１締結部材１４６が貫通する貫通ホール１４５が形成される。ここで、第１締結部材１４６としては、ボルトまたはスタッド等を用いることができる。
【００３４】
そして、補強部材１６０は、トッププレート１３０およびボトムプレート１４０にも固定可能である。このとき、トッププレート１３０は、複数のバッテリセル１０の上面に対面するように配置されるトップベース部１３０ａと、トップベース部１３０ａの側部からバッテリセル１０の側面に折り曲げられたトップフランジ部１３０ｂとを備える。また、ボトムプレート１４０は、複数のバッテリセル１０の下面に対面するように配置されるボトムベース部１４０ａと、ボトムベース部１４０ａの側部からバッテリセル１０の側面に折り曲げられたボトムフランジ部１４０ｂとを備える。
【００３５】
そして、トップフランジ部１３０ｂおよびボトムフランジ部１４０ｂは、それぞれトップベース部１３０ａおよびボトムベース部１４０ａに対して略垂直となるように折り曲げられる。つまり、トップフランジ部１３０ｂおよびボトムフランジ部１４０ｂは、バッテリセル１０の側面と接して延びることができる。
【００３６】
このようなトッププレート１３０のトップフランジ部１３０ｂと接触する補強部材１６０の両側面１６０ｂには、バッテリモジュール１００の外側に向かって突出する突起部１６１が形成される。そして、突起部１６１に対応するトップフランジ部１３０ｂには、突起部１６１を収容する突起収容部１３２が形成される。このとき、突起部１６１は、下部に向かうテーパ（ｔａｐｅｒ）形状に形成される。このように、テーパ形状に形成された突起部１６１がホール形状の突起収容部１３２に嵌合される。これにより、補強部材１６０がトッププレート１３０に固定可能である。
【００３７】
そして、ボトムプレート１４０のボトムフランジ部１４０ｂと接触する補強部材１６０の両側面には、結合孔１６４が形成される。また、結合孔１６４に対応するボトムフランジ部１４０ｂには、結合ホール１４３が形成される。これにより、結合ホール１４３を貫通して結合孔１６４に挿入される第２締結部材１４４によってボトムプレート１４０と補強部材１６０とが締結できる。
【００３８】
ここで、結合孔１６４の内部は、ねじ山の形態に形成されてもよく、このとき、第２締結部材１４４は、ボルトの形態であってもよい。そして、第２締結部材１４４は、スタッドの形態に形成されてもよい。
【００３９】
本実施形態に係る一対のエンドプレート１１０、１２０各々の上端および下端は、トップフランジ部１３０ｂおよびボトムフランジ部１４０ｂと接して締結できる。つまり、エンドプレート１１０、１２０と対面するトップフランジ部１３０ｂの長手方向における両端部は、エンドプレート１１０、１２０と締結部材３０によって締結される。そして、エンドプレート１１０、１２０と対面するボトムフランジ部１４０ｂの長手方向における両端部は、締結部材２０によってエンドプレート１１０、１２０と締結される。具体的には、エンドプレート１１０、１２０は、バッテリセル１０と対向する面のうち側部に位置する一対の辺からバッテリモジュール１００の外側に向かって長手方向に折り曲げられている。この折り曲げ部分の外側面（締結部材２０、３０が挿入される側の面）と、トップフランジ部１３０ｂおよびボトムフランジ部１４０ｂの内面とが対向した状態で、一対のエンドプレート１１０、１２０と、トップフランジ部１３０ｂおよびボトムフランジ部１４０ｂとは締結部材２０、３０により締結される。
【００４０】
また、本実施形態に係る一対のエンドプレート１１０、１２０の間において一方向（長手方向）に整列された複数のバッテリセル１０は、電極組立体、および電解液をケースに収容させた後、ケースをキャッププレートで密閉させることによって製造される。キャッププレート上には、正極端子１１と、負極端子１２と、端子１１、１２の間に備えられるベント１３とが形成できる。電極組立体は、正極板と、負極板と、これらの極板の間に介在したセパレータとから構成することができる。
【００４１】
ここで、正極板は正極端子１１に接続され、負極板は負極端子１２に接続され、電極組立体および電解液の電気化学的反応によって発生するエネルギーを外部に伝達する。また、ベント１３は、バッテリセル１０の内部で発生する気体を外部に放出する通路の役割を果たす。
【００４２】
一対のエンドプレート１１０、１２０、トッププレート１３０、およびボトムプレート１４０は、複数のバッテリセル１０を収容するための一定の空間を提供することができる。バッテリセル１０は、区画された空間内に収納され、一方向に整列されて固定可能である。このとき、バッテリセル１０は、広い前面が互いに対向するように並んで整列される。そして、隣接する２つのバッテリセル１０の正極端子１１および負極端子１２は、バスバー（ｂｕｓ−ｂａｒ）１５を介して電気的に接続可能である。バスバー１５には、正極端子１１および負極端子１２が貫通可能なホールが備えられ、端子１１、１２が貫通して接続されたバスバー１５は、ナット１６などの部材によって固定可能である。
【００４３】
そして、一対のエンドプレート１１０、１２０は、それぞれ最外郭のバッテリセル１０と面接触するように配置され、複数のバッテリセル１０を内側に加圧することができる。このとき、一対のエンドプレート１１０、１２０、トッププレート１３０、およびボトムプレート１４０によって支持される複数のバッテリセル１０は、正極端子１１および負極端子１２が互いに交互に整列され、直列に接続可能である。
【００４４】
そして、一対のエンドプレート１１０、１２０は、トッププレート１３０およびボトムプレート１４０の一端および他端と接する部分に締結孔１１１、１１２、１２１、１２２を備えることができる。そして、トッププレート１３０およびボトムプレート１４０は、締結孔１１１、１１２、１２１、１２２に対応する部分に締結孔１３１、１４１を備えることができる。
【００４５】
締結孔１１１、１１２、１２１、１２２および締結孔１３１、１４１は、締結部材２０、３０によって締結できる。つまり、締結孔１１１、１１２、１２１、１２２および締結孔１３１、１４１を締結部材２０、３０が貫通して締結されることにより、一対のエンドプレート１１０、１２０と、トッププレート１３０およびボトムプレート１４０との間の結合力を向上させることができる。例えば、締結部材２０、３０としては、ボルトまたはスタッド等を用いることができる。
【００４６】
このように、締結孔１１１、１１２、１２１、１２２および締結孔１３１、１４１による締結は、バッテリモジュール１００の外観および小型化に有利であり、空間活用度を向上させることができる。また、締結孔１１１、１１２、１２１、１２２および締結孔１３１、１４１は、トッププレート１３０またはボトムプレート１４０に集中する複数のバッテリセル１０による応力を効果的に分散させることができるため、バッテリモジュール１００の安全性を向上させることができる。
【００４７】
このようなバッテリモジュール１００の両端、すなわち、エンドプレート１１０、１２０の下端部には、ハウジング５０との結合のための第１固定ホール１１３が形成され、第１固定ホール１１３に対応するボトムプレート１４０には、第２固定ホール１４２が形成される。これにより、ボルトまたはスタッドのような締結部材が第１固定ホール１１３と第２固定ホール１４２を貫通し、バッテリモジュール１００をハウジング５０に固定させることができる。
【００４８】
図３は、本実施形態にかかる補強部材を示す斜視図である。
【００４９】
図３を参照すると、補強部材１６０は、バッテリセル１０と当接する面がバッテリセル１０と同じ大きさに形成され、バッテリセル１０が連結される方向において所定の厚さを有するように形成される。そして、補強部材１６０の上面１６０ａから下面１６０ｃまで少なくとも１つの挿入ホール１６２が貫設される。
【００５０】
本実施形態では、所定の間隔をおいて２つの挿入ホール１６２が形成される。挿入ホール１６２の下端部に形成された締結部１６３がハウジング５０（図１参照）と締結される部分であるため、補強部材１６０の横幅に応じて適切に挿入ホール１６２を形成することにより、ハウジング５０と補強部材１６０との締結力を向上させることができる。
【００５１】
また、補強部材１６０の両側面１６０ｂおよび下面１６０ｃは、補強部材１６０と当接する２つのバッテリセル１０（図１参照）の側面および下面の一部まで位置するように長手方向に延設できる。これにより、補強部材１６０がバッテリセル１０を一部収容することにより、補強部材１６０とハウジング５０との締結が解除されても、揺れることなく強固にバッテリモジュール１００の内部に装着可能である。さらに、補強部材１６０が延びることにより、中間部に位置するバッテリセル１０を支持する役割を果たすこともできる。
【００５２】
このような補強部材１６０がバッテリモジュール１００（図１参照）の中間部に挿入されることにより、振動や衝撃によってバッテリモジュール１００の中間部が垂れることを防止することができ、より強固なバッテリモジュール１００を実現することができる。
【００５３】
図４Ａは、本実施形態に係る補強部材の平面図であり、図４Ｂは、本実施形態に係る補強部材の正面図であり、図４Ｃは、本実施形態に係る補強部材の側面図である。
【００５４】
図４Ａ〜図４Ｃとともに図２を参照すると、補強部材１６０の上面１６０ａから下面１６０ｃまで貫通した挿入ホール１６２は、補強部材１６０とハウジング５０との締結時に工具１７０（図５参照）が入る空間である。この挿入ホール１６２を介して締結部１６３に締結される第１締結部材１４６は、ボルト形状に形成できる。これにより、工具１７０またはボルトの頭部分が通過できるように、補強部材１６０の上面１６０ａの挿入ホール１６２の大きさは、補強部材１６０の下面１６０ｃの締結部１６３の大きさより大きくなければならない。また、締結部１６３は、ボルトの頭部分が通過してはならないことから、それより小さい大きさに形成されなければならない。
【００５５】
そして、補強部材１６０の両側面１６０ｂの上側には、突起部１６１が形成される。突起部１６１は、トップフランジ部１３０ｂの突起収容部１３２に収容される。これにより、補強部材１６０をトッププレート１３０に固定することができる。
【００５６】
また、固定部材１６０の両側面１６０ｂの下側には、結合孔１６４が形成される。結合孔１６４は、ボトムフランジ部１４０ｂの結合ホール１４３と一致する領域に形成され、第２締結部材１４４によって補強部材１６０をボトムプレート１４０に締結できる。
【００５７】
図５は、図１のＡ−Ａ’切断線において切断した、トッププレートの締結前にボトムプレートに補強部材を締結する状態を示す断面図である。
【００５８】
図５を参照すると、補強部材１６０の締結部１６３は、ハウジング５０に締結して固定可能である。締結部１６３は、補強部材１６０に形成された挿入ホール１６２の下端部に位置し、補強部材１６０の底面とハウジング５０とが締結されるようになる。ここで、挿入ホール１６２は、補強部材１６０の上面から下面まで貫通し、一定の間隔をおいて２つが形成される。
【００５９】
このとき、挿入ホール１６２から第１締結部材１４６および工具１７０が挿入される。そして、第１締結部材１４６は、ボトムプレート１４０の貫通ホール１４５を通過した後、工具１７０によりハウジング５０に締結される。ここで、ボトムプレート１４０の貫通ホール１４５は、補強部材１６０の締結部１６３に対応する領域に形成できる。そして、第１締結部材１４６としては、ボルトまたはスタッドを用いることができる。
【００６０】
このように、補強部材１６０がハウジング５０に締結されて固定されることにより、複数のセルが接続されたバッテリモジュールへの振動や衝撃時に中間部が流動し、バッテリモジュールが破損することを防止することができる。
【００６１】
図６は、本発明の他の実施形態にかかるバッテリモジュールを示す斜視図である。
【００６２】
図６を参照すると、本発明の他の実施形態にかかるバッテリモジュール２００は、上記実施形態にかかるバッテリモジュール１００（図１参照）と同様に、一対のエンドプレート１１０、１２０と、複数のバッテリセル１０と、トッププレート１３０と、ボトムプレート１４０と、これらをすべて収容するハウジング５０とを含む。そして、一方向（バッテリモジュール１００の長手方向）に整列された複数のバッテリセル１０の間に２つの補強部材２６０をさらに含む。
【００６３】
補強部材２６０は、複数のバッテリセル１０の中間部に位置し、ハウジング５０に固定される締結部１６３を備える。バッテリセル１０の数が増加する場合、バッテリモジュール２００の中間部の垂れ防止および耐衝撃性を向上させるために、バッテリモジュール２００の中間部に補強部材２６０を２つ備えることができる。
【００６４】
このような補強部材２６０は、上記実施形態の補強部材１６０と同様に、バッテリセル１０と当接する面がバッテリセル１０と同じ大きさに形成され、所定の厚さを有し、上面から下面まで貫通した少なくとも１つの挿入ホールを含むことができる。そして、補強部材２６０の両側面および下面は、補強部材２６０と当接する２つのバッテリセル１０の側面および下面の一部まで延設できる。
【００６５】
そして、ボトムプレート１４０のボトムフランジ部１４０ｂと接触する補強部材２６０の両側面には、結合孔１６４が形成される。また、結合孔１６４に対応するボトムフランジ部１４０ｂには、結合ホール１４３が形成される。ここで、結合孔１６４と結合ホール１４６とは、第２締結部材１４４によって締結できる。
【００６６】
また、トッププレート１３０のトップフランジ部１３０ｂと接触する補強部材２６０の両側面には、突起部１６１が形成され、突起部１６１に対応するトップフランジ部１３０ｂには、突起部１６１を収容する突起収容部１３２が形成される。ここで、突起部１６１は、下部に向かうテーパ形状に形成され、突起収容部１３２と容易に結合できる。
【００６７】
このような本発明の他の実施形態にかかるバッテリモジュール２００によれば、振動や衝撃によってバッテリモジュール２００の中間部が垂れることを防止できるだけでなく、より強固なバッテリモジュール２００を製造することができる。
【００６８】
前述した実施形態では、補強部材が１つまたは２つ形成されたバッテリモジュールを挙げて説明したが、バッテリセルの数が増加する場合、それ以上の補強部材がさらに形成できることはいうまでもない。
【００６９】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００７０】
１０      バッテリセル
１１      正極端子
１２      負極端子
１５      バスバー
１００    バッテリモジュール
１１０、１２０    エンドプレート
１３０    トッププレート
１３０ａ  トップベース部
１３０ｂ  トップフランジ部
１３２    突起収容部
１４０    ボトムプレート
１４０ａ  ボトムベース部
１４０ｂ  ボトムフランジ部
１４３    結合ホール
１４５    貫通ホール
１４６    第１締結部材
１５０    バリア
１６０、２６０    補強部材
１６１    突起部
１６２    挿入ホール
１６３    締結部
１６４    結合孔
【図１】
0005908706.tif 000002
【図２】
0005908706.tif 000003
【図３】
0005908706.tif 000004
【図４Ａ】
0005908706.tif 000005
【図４Ｂ】
0005908706.tif 000006
【図４Ｃ】
0005908706.tif 000007
【図５】
0005908706.tif 000008
【図６】
0005908706.tif 000009